(57)【要約】【課題】流出管内における排水の回転力を十分に増大させることができ、流出管やこれに連結される配管内をより確実に清潔に保つことができる排水トラップを提供する。【解決手段】排水トラップ１は、排水が流入する流入管１１と、排水が流出する流出管１２と、流入管１１から排水が流入する流入口１８、及び、流出管１２へと排水が流出するとともに、流入口１１よりも上方に位置する流出口１２を有し、内部に封水が貯留される封水部１３とを備える。封水部１３は、流入口１８から流出口１９に向けて上昇するとともに、少なくとも排出口１９側に流出管１２の外周面に巻きつくようにして湾曲する湾曲部１７を有し、湾曲部１７のうちその湾曲方向外側に位置する外壁部の内面は、流出管１２の内周面に連続する。流出管１２は、流出口１９よりも下方に位置し、下方に向けて内径が減少するテーパ状の縮径部２１を有する。【選択図】      図６
2015124495.tif 000002
【特許請求の範囲】
【請求項１】
排水が流入する筒状の流入管と、
排水が流出する筒状の流出管と、
前記流入管から排水が流入する流入口、及び、前記流出管へと排水が流出するとともに、前記流入口よりも上方に位置する流出口を有し、内部に封水が貯留される封水部とを備えた排水トラップであって、
前記封水部は、
前記流入口から前記流出口に向けて上昇するとともに、少なくとも前記排出口側に前記流出管の外周面に巻きつくようにして湾曲する湾曲部を有し、かつ、
前記湾曲部のうち、その湾曲方向外側に位置する外壁部の内面は、前記流出管の内周面に連続するように構成されており、
前記流出管は、前記流出口よりも下方に位置し、下方に向けて内径が減少するテーパ状の縮径部を有することを特徴とする排水トラップ。
【請求項２】
前記縮径部は、前記流出管の内周面に沿って延び、下方に向けて傾斜する螺旋状をなすことを特徴とする請求項１に記載の排水トラップ。
【請求項３】
前記縮径部のうち少なくともその下方側に位置する末端部において、前記流出管の径方向に沿った前記縮径部の幅が前記縮径部の末端に向けて徐々に減少し、前記縮径部の末端において０となるように構成されていることを特徴とする請求項２に記載の排水トラップ。
【請求項４】
前記流出管は、前記縮径部よりも下方に、下方に向けて内径が増大するテーパ状の拡径部を有することを特徴とする請求項１乃至３のいずれか１項に記載の排水トラップ。
【請求項５】
前記流出管の中心軸を含む断面において、前記流出管のうち前記拡径部の上端に連なる部位の外形線と前記拡径部の外形線とのなす角度が１５０°以上であることを特徴とする請求項４に記載の排水トラップ。
【請求項６】
前記封水部は、自身の内部空間の上方を塞ぐ蓋部を有し、
前記蓋部のうち少なくとも前記流出口側に位置する部位の内面は、前記流出口側に向けて上方に傾斜していることを特徴とする請求項１乃至５のいずれか１項に記載の排水トラップ。
【発明の詳細な説明】
【技術分野】
【０００１】
本発明は、洗面ボールや台所のシンク等の槽体に用いられ、下水からの異臭や害虫等の室内側への侵入を防止するための封水を貯留可能な排水トラップに関する。
【背景技術】
【０００２】
台所のシンクや浴槽、洗面ボール等の槽体から流出する排水は、所定の排水管を通って排出されるが、従来、排水管の一部において排水トラップを用いることがある。排水トラップは、例えば、Ｕ字状をなす封水部を有しており、封水部に貯留された水（封水）によって、下水側からの異臭や害虫の室内側への侵入を抑制できるようになっている。
【０００３】
また近年では、排水が流入する流入管と、排水が流出する流出管と、流入管から排水が流入する流入口、及び、流出管へと排水が流出する流出口を有する封水部とを備え、流出管において排水が渦巻き状に旋回しつつ流下するように構成した排水トラップが提案されている（例えば、特許文献１等参照）。当該特許文献に記載の技術によれば、渦巻き流によって、流出管や当該流出管に連結された配管に付着したゴミや異物等を取り除くことができ、流出管や配管内を清浄化することができる。
【先行技術文献】
【特許文献】
【０００４】
【特許文献１】特開２０１３−２４０１８号公報
【発明の概要】
【発明が解決しようとする課題】
【０００５】
しかしながら、上記技術では、例えば、洗面ボールに貯留された水を排出する場合など、封水部から流出管へと流出する排水の量（単位時間当たりの量）が比較的多い場合には、流出管内における排水を十分に回転させることができるが、例えば、蛇口やシャワーから水を流している場合等、封水部から流出管に対する排水の流出量が比較的少ない場合には、流出管内において排水を十分に回転させることができず、上述した清浄化の効果が十分に奏されないおそれがある。
【０００６】
本発明は、上記事情に鑑みてなされたものであり、その目的は、封水部から流出管へと流出する排水の量が比較的少ない場合であっても、流出管内における排水の回転力を十分に増大させることができ、流出管やこれに連結される配管内をより確実に清潔に保つことができる排水トラップを提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．排水が流入する筒状の流入管と、
排水が流出する筒状の流出管と、
前記流入管から排水が流入する流入口、及び、前記流出管へと排水が流出するとともに、前記流入口よりも上方に位置する流出口を有し、内部に封水が貯留される封水部とを備えた排水トラップであって、
前記封水部は、
前記流入口から前記流出口に向けて上昇するとともに、少なくとも前記排出口側に前記流出管の外周面に巻きつくようにして湾曲する湾曲部を有し、かつ、
前記湾曲部のうち、その湾曲方向外側に位置する外壁部の内面は、前記流出管の内周面に連続するように構成されており、
前記流出管は、前記流出口よりも下方に位置し、下方に向けて内径が減少するテーパ状の縮径部を有することを特徴とする排水トラップ。
【０００９】
上記手段１によれば、湾曲部内を排水が通過する際に、排水には遠心力が生じることとなり、排水は湾曲部の外壁面に押し付けられた状態で流出管内へと流出する。このとき、外壁部の内面は、流出管の内周面に連続するように構成されているため、前記遠心力のロスが生じることなく、排水は流出管内へと流出し、流出管の内周面に沿って回転を始める。
【００１０】
そして、上記手段１によれば、流出口よりも下方に、下方に向けて内径が減少するテーパ状の縮径部が設けられており、縮径部に至った排水は、回転半径の減少に伴い、その回転速度が増すこととなる。そのため、流出管に対する排水の流出量が比較的少ない場合、つまり、排水の回転開始時における速度が比較的小さい場合であっても、排水を十分に回転させることができる（より詳しくは、排水の回転数を増大させることができるとともに、排水が回転状態で維持される時間を長期化することができる）。その結果、流出管やこれに連結される配管をより確実に清潔に保つことができ、衛生性の向上を図ることができる。
【００１１】
手段２．前記縮径部は、前記流出管の内周面に沿って延び、下方に向けて傾斜する螺旋状をなすことを特徴とする手段１に記載の排水トラップ。
【００１２】
上記手段２によれば、排水の回転経路に沿うようにして螺旋状の縮径部が設けられているため、流出管内において排水を縮径部に乗せることができる。そして、縮径部に乗った排水へと重力が働くことで、排水に対して回転力を生じさせることができる。その結果、排水を一層回転させることができ、流出管や配管の清浄化効果をより高めることができる。
【００１３】
手段３．前記縮径部のうち少なくともその下方側に位置する末端部において、前記流出管の径方向に沿った前記縮径部の幅が前記縮径部の末端に向けて徐々に減少し、前記縮径部の末端において０となるように構成されていることを特徴とする手段２に記載の排水トラップ。
【００１４】
上記手段３によれば、螺旋状の縮径部の末端から流出管の内周面に対して、エネルギーのロスなく、スムーズに排水が流れることとなる。従って、流出管内において排水をより一層回転させることができ、流出管等を一層確実に清潔に保つことができる。
【００１５】
手段４．前記流出管は、前記縮径部よりも下方に、下方に向けて内径が増大するテーパ状の拡径部を有することを特徴とする手段１乃至３のいずれかに記載の排水トラップ。
【００１６】
上記手段４によれば、拡径部を設けることによって、流出管に連結される配管の内周面と流出管の内周面との間に段差等が生じてしまうことを抑制できる。従って、段差等に対する汚れの付着を防止することができ、衛生性をより向上させることができる。また、段差等が存在しなくなることで、回転する排水が、スムーズに前記配管の内周面へと流れることとなる。その結果、配管に付着したゴミ等をより確実に取り除くことができ、配管を一段と清潔に保つことができる。
【００１７】
手段５．前記流出管の中心軸を含む断面において、前記流出管のうち前記拡径部の上端に連なる部位の外形線と前記拡径部の外形線とのなす角度が１５０°以上であることを特徴とする手段４に記載の排水トラップ。
【００１８】
上記手段５によれば、拡径部の上端に連なる部位から拡径部にかけての傾斜角度が１５０°以上とされており、拡径部の上端に連なる部位から拡径部にかけて比較的緩やかに傾斜するように構成されている。従って、拡径部の上端に連なる部位から拡径部へと排水が移行する際に、排水が流出管の内周面から剥離してしまうことをより確実に抑制できる。その結果、拡径部や流出管に連結される配管においても排水をより確実に回転状態で保つことができ、流出管や配管の清浄化効果をより一層向上させることができる。
【００１９】
手段６．前記封水部は、自身の内部空間の上方を塞ぐ蓋部を有し、
前記蓋部のうち少なくとも前記流出口側に位置する部位の内面は、前記流出口側に向けて上方に傾斜していることを特徴とする手段１乃至５のいずれかに記載の排水トラップ。
【００２０】
上記手段６によれば、流出口側へと流れる排水が蓋部の内面に接触した際に、排水の有する流出口側に向けたエネルギーに損失が生じにくくなる。そのため、流出口から流出管内へと一層勢いよく排水を流出させることができ、排水をより一層回転させることができる。その結果、流出管等の清浄化効果を一層向上させることができる。
【図面の簡単な説明】
【００２１】
【図１】排水トラップの正面図である。
【図２】本体部の平面図である。
【図３】本体部の斜視図である。
【図４】排水トラップの斜視図である。
【図５】排水トラップの側面図である。
【図６】本体部の断面図である。
【図７】排水トラップの斜視図である。
【図８】排水トラップの平面図である。
【図９】第２実施形態における縮径部を示す本体部の平面図である。
【図１０】第２実施形態における縮径部を示す断面模式図である。
【発明を実施するための形態】
【００２２】
以下に、実施形態について図面を参照しつつ説明する。
〔第１実施形態〕
図１に示すように、排水トラップ１は、樹脂等により形成されており、上方側が開口する本体部２と、当該本体部２に接合され、本体部２の上方側開口を塞ぐ蓋部３とによって構成されている。
【００２３】
また、排水トラップ１は、流入管１１と、流出管１２と、封水部１３とを備えている。
【００２４】
流入管１１は、上下方向に沿って延びる円筒状をなすとともに、自身の上端部外周に雄ねじ部１１Ａを備えている。そして、槽体（例えば、洗面ボールや浴槽等）の排水口に接続された筒状の排水管（図示せず）が前記雄ねじ部１１に螺合されることにより、流入管１１と前記排水管とが直列的に接続されている。これにより、排水口からの排水が流入管１１へと流入するようになっている。
【００２５】
流出管１２は、上下方向に沿って延びる円筒状をなし、流入管１１と平行に配設されている。また、流出管１２の下端部外周には雄ねじ部１２Ａが形成されており、当該雄ねじ部１２Ａが所定の配管（図示せず）に螺合されることで、流出管１２と前記配管とが直列的に接続されている。そして、流出管１２から前記配管へと排水が流れ落ちるようになっている。
【００２６】
封水部１３は、図２〜図４に示すように、内壁部１４と、外壁部１５と、下面部１６とを備えている。
【００２７】
内壁部１４は、上下方向に延びる平板状をなすとともに、流出管１２の外周の接線方向に沿って延び、流出管１２の外周面と流入管１１の外周面との間において両者を連結している。
【００２８】
外壁部１５は、封水部１３の外周部分を構成しており、流入管１１の外周面、内壁部１４、及び、流出管１２の外周面との間で間隔を隔てて配置されている。また、外壁部１５は、内壁部１４に対してこれと平行状態で対向する平行外壁部１５Ａと、流出管１２の外周に配置された湾曲面状の湾曲状外壁部１５Ｂとを備えている。
【００２９】
下面部１６は、封水部１３の下方を塞ぐ部位であり、流入管１１の外周面、内壁部１４、及び、流出管１２の外周面から外側に向けて延び、外壁部１５の下部に連接されている。また、下面部１６は、内壁部１４と平行外壁部１５Ａとの間に位置し、ストレート状をなす直線状下面部１６Ａと、流出管１２の外周面と湾曲外壁部１５Ｂとの間に位置し、湾曲状をなす湾曲状下面部１６Ｂとを備えている。そして、本実施形態では、図４及び図５に示すように、湾曲状外壁部１５Ｂと湾曲状下面部１６Ｂとによって、流出管１２の外周面に巻きつくようにして湾曲する湾曲部１７が構成されている。
【００３０】
また、封水部１３は、蓋部３、流入管１１、流出管１２、内壁部１４、外壁部１５、及び、下面部１６により囲まれてなる内部空間１３Ｓを有しており、当該内部空間１３Ｓに封水が貯留されるように構成されている。
【００３１】
さらに、図２及び図６に示すように、封水部１３は、流入管１１の内部空間１１Ｓと前記内部空間１３Ｓとを連通する流入口１８、及び、前記内部空間１３Ｓと流出管１２の内部空間１２Ｓとを連通する流出口１９を備えている。そして、流入管１１に流れ込んだ排水は、流入口１８を通って内部空間１３Ｓに流入し、内部空間１３Ｓに流れ込んだ排水は、流出口１９を通って前記内部空間１２Ｓへと流れ込むようになっている。尚、本実施形態において、流入管１１の下部内面１１Ｂは、流入口１８に向けて徐々に湾曲するように構成されている。これにより、流入管１１へと排水が流入した際に、排水をスムーズに流入口１８側へと案内することができるようになっている（つまり、落下により排水に与えられた運動エネルギーに損失が生じてしまうことを抑制しつつ、排水の流れ方向を内部空間１３Ｓ側に向けた方向に変換できるようになっている）。
【００３２】
さらに、流出口１９は、流入口１８よりも上方に位置しており、図４及び図５に示すように、封水部１３は、流入口１８から流出口１９に向けて上昇する（より詳しくは、下面部１６が流入口１８から流出口１９に向けて上方に傾斜する）ように構成されている。そして、流入口１８から流れ込んだ排水によって、内部空間１３Ｓの排水は、流出口１９側へと押し上げられることとなる。本実施形態では、内壁部１４、外壁部１５、及び、下面部１６のうち前記内部空間１３Ｓを形成する面に凹凸が存在しないように構成されているため、流入口１８から内部空間１３Ｓへと排水が流れ込んだ際に、排水を流出口１９側へとスムーズに案内することができるようになっている。
【００３３】
さらに、湾曲部１７内を排水が通過する際に、排水には遠心力が生じることとなり、排水は湾曲部１７の外壁面（湾曲状外壁部１５Ｂ）に押し付けられた状態で内部空間１２Ｓへと流れ込む。ここで、本実施形態では、上述した流入管１１の下部内面１１Ｂの構成により、内部空間１３Ｓに対して十分な運動エネルギーを有する排水が流入し、さらに、上述した内壁部１４等のうち内部空間１３Ｓを形成する面に凹凸が存在しない構成により、封水部１３において流入口１８から流出口１９へと排水が案内されるときに、前記運動エネルギーの損失抑制が効果的に図られるようになっている。そのため、内部空間１２Ｓへと流れ込む排水は十分に大きな遠心力を有することとなる（つまり、本実施形態では、落下により排水に与えられた運動エネルギーを有効的に活用して、内部空間１２Ｓへと流れ込む排水が十分に大きな遠心力を有するように構成されている）。
【００３４】
加えて、本実施形態では、図２に示すように、湾曲部１７のうち、その湾曲方向外側に位置する湾曲状外壁部１５Ｂの内面が、流出口１９を通過して流出管１２の内周面に連続する（つまり、両者の間に段差が存在しない）ように構成されている。そのため、前記遠心力のロスが生じることなく、排水を内部空間１２Ｓへと流出させることができるようになっている。
【００３５】
さらに、図７及び図８に示すように、前記蓋部３のうち流出口１９側に位置する部位は、流出口１９側に向けて上方に傾斜するように構成されており、前記部位の内面も排出口１９側に向けて上方に傾斜するようになっている。
【００３６】
加えて、図６等に示すように、本実施形態における流出管１２は、その内周面に、下方に向けて内径が徐々に減少するテーパ状の縮径部２１を備えている。縮径部２１は、環状（筒状）をなしており、その上端部が流出口１９の下方に位置している。そして、流出口１９から流れ込んだ遠心力を有する排水は、縮径部２１の表面を回転しつつ、流れ落ちるように構成されている。
【００３７】
また、流出管１２は、その内周面に、縮径部２１の下端から下方に向けて延びる一定内径の小径部２２を備えている。
【００３８】
さらに、流出管１２の内周面には、流出管１２に接続される前記配管の内径と同一の内径を有する大径部２３が設けられている。大径部２３の内径は、小径部２２の内径よりも大きく、流出管１２へと前記配管を接続した状態において、流出管１２の内周面から前記配管の内周面にかけて面が凹凸なく連続するように構成されている。
【００３９】
加えて、流出管１２の内周面には、小径部２２及び大径部２３間に位置し、下方に向けて内径が徐々に増大するテーパ状の拡径部２４が形成されている。拡径部２４は、その上端の内径が小径部２２の内径と等しく、その下端の内径が大径部２３の内径と等しいものとされている。拡径部２４によって、縮径部２１の存在により減少した流出管１２の内径は、下方に向けて徐々に増大し、最終的に大径部２３の内径と等しくされる。
【００４０】
また、本実施形態では、図６に示すように、流出管１２の中心軸ＣＬ１を含む断面において、流出管１２のうち拡径部２４の上端に連なる部位（小径部２２）の外形線と拡径部２４の外形線とのなす角度αが１５０°以上とされており、小径部２２から拡径部２４にかけて比較的緩やかに傾斜するように構成されている。尚、角度αは、１８０°に近いほど好ましい。従って、角度αを１６０°以上とすることがより好ましく、１７０°以上とすることがより一層好ましい。
【００４１】
以上詳述したように、本実施形態によれば、流出管１２には下方に向けて内径が減少するテーパ状の縮径部２１が設けられており、縮径部２１に至った排水は、回転半径の減少に伴い、その回転速度が増すこととなる。そのため、流出管１２に対する排水の流出量が比較的少ない場合、つまり、排水の回転開始時における速度が比較的小さい場合であっても、排水を十分に回転させることができる。その結果、流出管１２やこれに連結される配管をより確実に清潔に保つことができ、衛生性の向上を図ることができる。
【００４２】
さらに、拡径部２４を設けることによって、流出管１２に連結される配管の内周面と流出管１２の内周面との間に段差等が生じてしまうことを抑制できる。従って、段差等に対する汚れの付着を防止することができ、衛生性をより向上させることができる。また、段差等が存在しなくなることで、回転する排水が、スムーズに前記配管の内周面へと流れることとなる。その結果、配管に付着したゴミ等をより確実に取り除くことができ、配管を一段と清潔に保つことができる。
【００４３】
加えて、蓋部３のうち少なくとも流出口１９側に位置する部位の内面は、流出口１９側に向けて上方に傾斜しているため、流出口１９側へと流れる排水が蓋部３の内面に接触した際に、排水の有する流出口１９側に向けたエネルギーに損失が生じにくくなる。そのため、流出口１９から流出管１２内へと一層勢いよく排水を流出させることができ、排水をより一層回転させることができる。その結果、流出管１２等の清浄化効果を一層向上させることができる。
【００４４】
さらに、本実施形態では、角度αが１５０°以上とされており、拡径部２４の上端に連なる部位（小径部２２）から拡径部２４にかけて比較的緩やかに傾斜するように構成されている。従って、拡径部２４の上端に連なる部位（小径部２２）から拡径部２４へと排水が移行する際に、排水が流出管１２の内周面から剥離してしまうことをより確実に抑制できる。その結果、拡径部２４や流出管１２に連結される配管においても排水をより確実に回転状態で保つことができ、流出管１２や配管の清浄化効果をより一層向上させることができる。
〔第２実施形態〕
次いで、第２実施形態について、上記第１実施形態との相違点を中心に説明する。上記第１実施形態において、縮径部２１は環状をなすように構成されているが、図９及び図１０に示すように、本第２実施形態において、縮径部３１（図９中ハッチングを付した部位）は、流出管１２の内周面に沿って延び、下方に向けて傾斜する螺旋状をなすように構成されている。
【００４５】
縮径部３１は、流出管１２の内周面の一周分の範囲に亘って形成されるとともに、流出管１２の中心軸側に向けて傾斜している。また、縮径部３１の始端（上端）は、流出口１９に連続しており、流出口１９に流れ込んだ排水は、縮径部３１上において螺旋状に回転しつつ、流れ落ちるようになっている。
【００４６】
加えて、流出管１２の径方向に沿った縮径部３１の幅Ｗは、縮径部３１の始端から約３／４周分はほぼ一定となるように構成されているが、縮径部３１の下方側に位置する末端部３１Ａでは、縮径部３１の末端に向けて徐々に減少するように構成されている。そして、縮径部３１の末端において縮径部３１の幅Ｗが０となっている。
【００４７】
以上、本第２実施形態によれば、基本的には上記第１実施形態と同様の作用効果が奏されることとなる。
【００４８】
加えて、本第２実施形態によれば、排水の回転経路に沿うようにして螺旋状の縮径部３１が設けられているため、流出管１２内において排水を縮径部３１に乗せることができる。そして、縮径部３１に乗った排水へと重力が働くことで、排水に対して回転力を生じさせることができる。その結果、排水を一層回転させることができ、流出管１２や配管の清浄化効果をより高めることができる。
【００４９】
さらに、縮径部３１の末端部３１Ａにおいて幅Ｗが徐々に減少し、縮径部３１の末端において最終的に０となるように構成されているため、縮径部３１の末端から流出管１２の内周面に対して、エネルギーのロスなく、スムーズに排水が流れることとなる。従って、流出管１２内において排水をより一層回転させることができ、流出管１２等を一層確実に清潔に保つことができる。
【００５０】
尚、上記実施形態の記載内容に限定されず、例えば次のように実施してもよい。勿論、以下において例示しない他の応用例、変更例も当然可能である。
【００５１】
（ａ）上記実施形態では、排水トラップ１に対して、排水管や配管が雄ねじ部１１Ａ等を用いてねじ止めされるように構成されているが、排水トラップ１に対する排水管や配管の接続態様は特に限定されるものではなく、適宜変更可能である。
【００５２】
（ｂ）上記実施形態において、蓋部３のうち排出口１９側に位置する部位の内面は、排出口１９側に向けて上方に傾斜するように構成されているが、蓋部３の構成はこれに限定されるものではない。従って、例えば、蓋部３の内面が水平方向に延びる平坦状をなしていてもよい。
【００５３】
（ｃ）上記実施形態では、縮径部２１及び拡径部２４間に小径部２２が設けられているが、小径部２２を設けることなく、縮径部２１及び拡径部２４が連続するように構成してもよい。
【符号の説明】
【００５４】
１…排水トラップ、３…蓋部、１１…流入管、１２…流出管、１３…封水部、１３Ｓ…（封水部の）内部空間、１７…湾曲部、１８…流入口、１９…流出口、２１，３１…縮径部、２４…拡径部、３１Ａ…（縮径部の）末端部。
【図１】
2015124495.tif 000003
【図２】
2015124495.tif 000004
【図３】
2015124495.tif 000005
【図４】
2015124495.tif 000006
【図５】
2015124495.tif 000007
【図６】
2015124495.tif 000008
【図７】
2015124495.tif 000009
【図８】
2015124495.tif 000010
【図９】
2015124495.tif 000011
【図１０】
2015124495.tif 000012